(57)【要約】【課題】新旧２種類の免許証に対して、記載事項の入力を適切に行い易くする。【解決手段】実施形態において、画像取込手段は、免許証の画像を取り込む。読取手段は、前記免許証の画像から、運転免許の種類と、運転免許の交付日とを読み取る。表示制御手段は、前記読取手段が読み取った情報を表示する免許証画面の表示データを生成し、表示器に出力する。操作受付手段は、前記免許証画面に表示した情報に対する訂正操作を受付ける。操作子表示切替手段は、前記読取手段が読み取った前記交付日が改正法の施行日より前であれば、前記免許証画面に、旧法に準じた運転免許の種類を選択可能に表示する操作子群を表示し、前記交付日が前記施行日以降であれば、前記免許証画面に、改正法に準じた運転免許の種類を選択可能に表示する操作子群を表示する。【選択図】図７
2018163429.tif 000002
【特許請求の範囲】
【請求項１】
免許証の画像を取り込む画像取込手段と、
前記免許証の画像から、運転免許の種類と、運転免許の交付日とを読み取る読取手段と、
前記読取手段が読み取った情報を表示する免許証画面の表示データを生成し、表示器に出力する表示制御手段と、
前記免許証画面に表示した情報に対する訂正操作を受付ける操作受付手段と、
前記読取手段が読み取った前記交付日が改正法の施行日より前であれば、前記免許証画面に、旧法に準じた運転免許の種類を選択可能に表示する操作子群を表示し、前記交付日が前記施行日以降であれば、前記免許証画面に、改正法に準じた運転免許の種類を選択可能に表示する操作子群を表示する、操作子表示切替手段と、
を備えた情報処理装置。
【請求項２】
前記免許証の画像から、免許保持者が取得した運転免許の種類を示した表の画像を抽出する表画像抽出手段と、
前記読取手段が読み取った前記交付日が前記施行日より前であれば、旧法に準じた前記表のレイアウトを参照して、免許保持者が取得した運転免許の種類を読み取り、前記交付日が前記施行日以降であれば、改正法に準じた前記表のレイアウトを参照して、免許保持者が取得した運転免許の種類を読み取る免許種類読取手段と、を更に備え、
前記操作子表示切替手段は、前記免許種類読取手段が読み取った前記運転免許の種類に対応する操作子を、選択操作された状態により表示する、
請求項１に記載の情報処理装置。
【請求項３】
貸し渡す車種の入力を受付ける車種受付手段と、
前記車種受付手段が受付けた前記車種が、前記免許証画面において操作子が選択された状態となっている運転免許の種類で運転可能でない場合に、エラー出力をするエラー出力手段と、を更に備えた請求項１または２に記載の情報処理装置。
【請求項４】
前記読取手段は、前記免許証の画像から、免許の条件に関する情報を読み取り、
前記操作子表示切替手段は、前記免許の条件に関する情報に基づいて、前記運転免許の種類に対応する操作子の選択状態を切替える、請求項２に記載の情報処理装置。
【請求項５】
前記操作受付手段は、前記免許証画面に表示された情報および前記操作子の選択操作状態を確定する確定操作を受付けて、
前記エラー出力手段は、前記操作受付手段が前記確定操作を受付けると、前記車種受付手段が受付けた前記車種が、前記免許証画面において前記操作子が選択された状態となっている運転免許の種類で運転可能か否かを判定する、請求項３に記載の情報処理装置。
【請求項６】
情報処理装置を制御するコンピュータを、
免許証の画像を取り込む画像取込手段と、
前記免許証の画像から、運転免許の種類と、運転免許の交付日とを読み取る読取手段と、
前記読取手段が読み取った情報を表示する免許証画面の表示データを生成し、表示器に出力する表示制御手段と、
前記免許証画面に表示した情報に対する訂正操作を受付ける操作受付手段と、
前記読取手段が読み取った前記交付日が改正法の施行日より前であれば、前記免許証画面に、旧法に準じた運転免許の種類を選択可能に表示する操作子群を表示し、前記交付日が前記施行日以降であれば、前記免許証画面に、改正法に準じた運転免許の種類を選択可能に表示する操作子群を表示する、操作子表示切替手段と、
して機能させるためのプログラム。
【発明の詳細な説明】
【技術分野】
【０００１】
本発明の実施形態は、情報処理装置およびプログラムに関する。
【背景技術】
【０００２】
従来、レンタカー店舗等での車両の貸渡業務において、運転免許証の画像をイメージスキャナで取り込み、運転免許証に表記された事項をＯＣＲ（Optical  Character  Recognition：光学的文字認識）により自動的に読み取る情報処理装置が用いられている。このような情報処理装置は、運転免許証の画像から免許証番号、氏名、住所、有効期限、生年月日等の情報を読み取る。また、運転免許証には、免許保持者がこれまでに取得した運転免許の種類を示す表（以降、免許種類の表と略す）が表記されているが、上記情報処理装置は、免許種類の表から、取得済みの免許種類を読み取ることもできる。
【０００３】
ところでこの度、道路交通法の改正により、運転免許の種類として新たに準中型自動車免許が設けられることとなった。これに伴い、改正法の施行日以降に交付される運転免許証において、免許種類の表のレイアウトが従来のレイアウトから変更されることとなった。即ち、施行日以降は、施行日より前に発行された運転免許証（以降では、旧免許証とよぶ）と、施行日以降に発行された運転免許証（以降では、新免許証とよぶ）の２種類の免許証が混在することとなる。従って、従来の情報処理装置では、運転免許の種類を正確に読み取ることが出来なくなるおそれがあり、法改正に対応できる技術の開発が望まれていた。
【発明の概要】
【発明が解決しようとする課題】
【０００４】
本発明が解決しようとする課題は、新旧２種類の免許証に対して、記載事項の入力を適切に行い易くすることができる情報処理装置およびプログラムを提供することである。
【課題を解決するための手段】
【０００５】
実施形態の情報処理装置は、画像取込手段と、読取手段と、表示制御手段と、操作受付手段と、操作子表示切替手段と、を備える。画像取込手段は、免許証の画像を取り込む。読取手段は、前記免許証の画像から、運転免許の種類と、運転免許の交付日とを読み取る。表示制御手段は、前記読取手段が読み取った情報を表示する免許証画面の表示データを生成し、表示器に出力する。操作受付手段は、前記免許証画面に表示した情報に対する訂正操作を受付ける。操作子表示切替手段は、前記読取手段が読み取った前記交付日が改正法の施行日より前であれば、前記免許証画面に、旧法に準じた運転免許の種類を選択可能に表示する操作子群を表示し、前記交付日が前記施行日以降であれば、前記免許証画面に、改正法に準じた運転免許の種類を選択可能に表示する操作子群を表示する。
【図面の簡単な説明】
【０００６】
【図１】図１は、本実施形態にかかるレンタカー貸出システムの概略構成図である。
【図２】図２は、レンタカー店で用いられるＰＯＳ端末のハードウェア構成例および機能構成を示したブロック図である。
【図３】図３は、車両マスタのデータ構成例を示した説明図である。
【図４】図４は、旧法に準じた免許種類の表のレイアウトを示す図である。
【図５】図５は、改正法に準じた免許種類の表のレイアウトを示す図である。
【図６】図６は、旧免許証を読み込んだ場合に表示される免許証画面の一例を示した図である。
【図７】図７は、新免許証を読み込んだ場合に表示される免許証画面の一例を示した図である。
【図８】図８は、アラート画面の一例を示した図である。
【図９】図９は、アラート画面のその他の例を示した図である。
【図１０】図１０は、ＰＯＳ端末が実行するレンタカー貸渡処理の手順例を示したフローチャートである。
【発明を実施するための形態】
【０００７】
以下では、本実施形態にかかる情報処理装置として、レンタカー店で車両貸渡業務および料金精算業務を行うＰＯＳ端末を用いた例について説明する。尚、本実施形態は当該例により何ら限定されるものではない。例えば、本実施形態にかかる情報処理装置として、精算業務を行わない情報処理装置に適用してもよい。
【０００８】
図１は、本実施形態にかかるレンタカー貸出システム１００の概略構成図である。レンタカー貸出システム１００においては、レンタカー店に設けられたＰＯＳ端末１と、系列店舗でのレンタカー貸出業務を統括する管理サーバ２とが、ＬＡＮ等の接続回線３によって接続されている。レンタカー店において、ＰＯＳ端末１にはスキャナ１６が接続されており、ＰＯＳ端末１は、スキャナ１６が読み取った免許証の画像から、免許証に記載された情報を読み取って、車両貸渡し処理を行う。
【０００９】
図２は、レンタカー店で用いられるＰＯＳ端末１のハードウェア構成例および機能構成を示したブロック図である。ＰＯＳ端末１は、ＣＰＵ、ＲＯＭ、ＲＡＭ等で構成されるコンピュータ構成の制御部１１を備えている。また、制御部１１には、ＵＳＢ（Universal  Serial  Bus）等の接続Ｉ／Ｆ（Interface）、バス１２、及びＩ／Ｏ機器制御部１４を介して、キーボード１５、スキャナ１６、ディスプレイ１７、プリンタ１８、ＨＤＤ２０、磁気カードＲＷ（リーダライタ）２１、非接触式ＲＷ２２が接続されている。制御部１１は、通信Ｉ／Ｆ１３及び接続回線３を介して、管理サーバ２との間でデータ通信を行う。
【００１０】
スキャナ１６は、免許証のスキャンに用いられる。ディスプレイ１７は、例えば液晶ディスプレイなどの表示装置である。プリンタ１８としては、例えばサーマルプリンタ等を用いることができるが、プリンタの構成は特に限定されない。プリンタ１８は、自動車貸渡証、レシート、ジャーナル等を印刷する。
【００１１】
ＨＤＤ２０は、制御部１１が実行する各種プログラムの他、車両マスタ２０１と、貸渡管理ファイル２０２を格納している。制御部１１は、データ更新の指示操作を受付けると、管理サーバ２から最新の車両マスタ２０１をダウンロードして、ＨＤＤ２０に格納する。
【００１２】
図３は、車両マスタ２０１のデータ構成例を示した説明図である。車両マスタ２０１は、レンタカー店が貸渡し対象として取り扱っている車両の情報を管理するためのマスタファイルである。車両マスタ２０１には、例えば、レンタカーの車両クラスや、車種名称、乗車定員、料金、車両区分などの情報が設定されている。車両区分としては、例えば「１１ｔトラック」などと、車両の総重量等の情報が格納される。あるいは、車両区分に、その車種を運転可能である運転免許の種類を示す情報を設定してもよい。例えば、１１ｔ以上の大型車両であれば、当該車両を運転可能である大型自動車免許に対応付けて、車両区分には「大型」などと設定してもよい。
【００１３】
図２に戻って、貸渡管理ファイル２０２は、レンタカーの貸渡しに関する情報を登録し、管理するための管理用データファイルである。貸渡管理ファイル２０２には、例えば、客（借受人または運転者）の氏名、生年月日、連絡先などの情報が登録される。また、貸渡管理ファイル２０２には、運転免許証番号、運転免許の種類（普通、準中型、中型、大型など）等、運転免許に関する情報が登録される。また、貸渡管理ファイル２０２には、貸渡し日時、貸渡し店舗、返却店舗、補償に関する情報等が登録される。尚、これら情報には、貸渡しが予約された場合には予約番号が付され、予約を介さずに直接店舗で貸渡しが申し込まれた場合には、取引を識別する取引番号が付番される。貸渡管理ファイル２０２においては、少なくともいずれかの番号によって各情報を識別することができる。
【００１４】
磁気カードＲＷ２１は、磁気記憶式の会員カード等に対してデータの読み書きを行う。例えば、磁気カードＲＷ２１は、レンタカーの会員カードから会員コードを読み取る。非接触式ＲＷ２２は、非接触式ＩＣカード、あるいは、非接触式ＩＣチップを搭載した携帯型電子機器に対してデータの読み書きを行う。
【００１５】
次に、ＰＯＳ端末１の制御部１１が実行する本実施形態のプログラムについて説明する。
【００１６】
なお、本実施形態のＰＯＳ端末１で実行されるプログラムは、ＨＤＤ２０等に予め組み込まれて提供される。本実施形態のＰＯＳ端末１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００１７】
さらに、本実施形態のＰＯＳ端末１で実行されるプログラムを、インターネット等のネットワークに接続されたコンピュータ上に格納し、ネットワーク経由でダウンロードさせることにより提供するように構成しても良い。また、本実施形態のＰＯＳ端末１で実行されるプログラムをインターネット等のネットワーク経由で提供または配布するように構成しても良い。
【００１８】
本実施形態のＰＯＳ端末１で実行されるプログラムは、図２に示すように、入力受付部５１、画像取込部５２、情報読取部５３、表示制御部５４、登録部５５、印字制御部５６を含むモジュール構成となっている。実際のハードウェアとしてはＣＰＵが上記記憶媒体（ＨＤＤ２０）から本実施形態のプログラムを読み出して実行することにより上記各部が主記憶装置上にロードされる。そして、ＣＰＵが主記憶装置上に、入力受付部５１、画像取込部５２、情報読取部５３、表示制御部５４、登録部５５、印字制御部５６を生成する。
【００１９】
入力受付部５１は、キーボード１５、スキャナ１６、磁気カードＲＷ２１、非接触式ＲＷ２２、通信Ｉ／Ｆ１３からの各種入力を受付ける。例えば、入力受付部５１は、キーボード１５に対する操作を介して、スキャナ１６による画像取込の指示操作を受付ける。また、入力受付部５１（車種受付手段）は、レンタカーの車両クラス、車種等を選択する車両選択画面（不図示）に対する選択操作を受付けて、客に貸し渡す車両の車両クラスおよび車種の入力を受付ける。
【００２０】
画像取込部５２は、スキャナ１６が読み取った旧免許証または新免許証の画像を制御部１１のワークメモリに取り込む。旧免許証とは、運転免許の種類の変更を含む改正法の施行日より前に発行された免許証のことである。また、新免許証とは、改正法の施行日以降に発行された免許証のことである。一取引分の貸渡業務が終了すると、画像取込部５２は、取り込んだ免許証の画像に、貸渡業務の取引番号を対応付けて、貸渡管理ファイル２０２に格納する。また、画像取込部５２は、ワークメモリ内の免許証の画像を削除する。
【００２１】
情報読取部５３（読取手段）は、画像取込部５２が取り込んだ免許証の画像から、免許証に表記されている各種情報を読み取る。即ち、情報読取部５３は、予め設定されている免許証のレイアウトに基づいて、免許証の画像にＯＣＲ（Optical  Character  Recognition：光学的文字認識）を行い、免許証に表記された情報を読み取る。情報読取部５３は、免許証の画像から読み取った情報をテキストデータ化する。
【００２２】
より具体的には、情報読取部５３は、免許証の画像から、氏名、生年月日、住所、運転免許の交付日、有効期限、免許の条件等に関する記載、免許証番号、免許種類別の取得日等の情報を読み取る。尚、免許種類別の取得日としては、特に、自動車免許の取得日を読み取る。また、情報読取部５３は、免許証の画像に含まれている免許の種類を示す表の画像から、免許保持者がこれまでに取得した運転免許の種類を読み取る。尚、運転免許の種類としては、特に、自動車貸渡し時に参照すべき自動車免許の種類を読み取る。
【００２３】
また、情報読取部５３（表画像抽出手段）は、免許証の画像から、免許保持者が取得した運転免許の種類を示した表の画像を抽出する。尚、運転免許の種類を示した表のことを、「免許種類の表」と略することとする。
【００２４】
情報読取部５３（免許種類読取手段）は、運転免許の交付日が改正法の施行日より前であれば、旧免許証用の免許種類の表のレイアウト（図４参照）を参照して、免許保持者が取得した運転免許の種類を読み取る。一方、運転免許の交付日が改正法の施行日以降であれば、新免許証用の免許種類のレイアウト（図５参照）を参照して、免許保持者が取得した運転免許の種類を読み取る。また、情報読取部５３は、「免許の条件等」（図６参照）に表記された情報から、運転免許の種類に関する情報を読み取る。
【００２５】
図４は、旧法に準じた免許種類の表のレイアウトを示す図である。また、図５は、改正法に準じた免許種類の表のレイアウトを示す図である。尚、図４および図５で示すレイアウトは、ＯＣＲで参照されるレイアウト画像である。実際の運転免許証には、免許保持者がこれまでに取得した免許の種類についてのみ、当該種類を示す文字列が図４または図５のレイアウトに従って表記される。免許保持者が取得していない免許の種類については、その枠内にハイフン（−）が表記される。
【００２６】
上述したように今般の法改正では、運転免許の種類として新たに準中型自動車免許が設けられたので、改正法の施行日以降に交付された運転免許証においては、免許種類の表のレイアウトは図４ではなく図５に示すレイアウトが用いられる。従って、改正法の施行日以降しばらくの間は、図４に示すレイアウトと図５に示すレイアウトとの２種類が混在することとなる。本実施形態では、このように運転免許の種類の表が２種類混在する場合にも、情報読取部５３が、運転免許証の交付日に応じて、参照する基準画像を図４の旧レイアウトと図５の新レイアウトとを自動的に切り替えてＯＣＲ認識を行う。従って店員は、新旧いずれの運転免許証であってもスキャナ１６により従前と同様に読取作業を行うことができ、法改正で運転免許の種類に変更がある場合に店員の負担が増えないよう図ることができる。
【００２７】
表示制御部５４は、ディスプレイ１７の表示処理を制御する。例えば、表示制御部５４は、レンタカー貸渡しに関する情報登録を行う各種画面をディスプレイ１７に表示する。例えば、表示制御部５４は、貸渡し対象の車種を選択する車種選択画面（不図示）をディスプレイ１７に表示する。また、表示制御部５４は、画像取込部５２が取り込んだ免許証の画像と、情報読取部５３が読み取った情報とを表示する免許証画面６１、６２（図６、図７参照）の表示データを生成し、ディスプレイ１７に出力する。免許証画面６１、６２（図６、図７参照）は、免許証にかかる情報を表示するとともに、編集、訂正し、確定を行う画面である。
【００２８】
表示制御部５４（操作子表示切替手段）は、情報読取部５３が読み取った免許証の交付日に応じて、免許証画面６１、６２のいずれか一方を選択し、ディスプレイ１７に表示する。即ち、情報読取部５３が読み取った運転免許の交付日が改正法の施行日より前であれば、表示制御部５４はディスプレイ１７に、旧免許証用の免許証画面６１（図６参照）を表示する。一方、情報読取部５３が読み取った運転免許の交付日が改正法の施行日以降であれば、表示制御部５４はディスプレイ１７に、新免許証用の免許証画面６２（図７参照）を表示する。
【００２９】
図６は、旧免許証を読み込んだ場合に表示される免許証画面６１の一例を示した図である。図６に示すように、免許証画面６１には、画像取込部５２が取り込んだ免許証の画像４０が表示される。上述した通り、情報読取部５３は、免許証の画像４０から、氏名４１、生年月日４２、住所４３、交付日４４、有効期限４５、免許の条件等に関する記載４６、免許証番号４７、種類別の免許取得日４８に記載された情報を読み取る。一例として、情報読取部５３は、図６に示すように、種類別の免許取得日４８の中段であり「他」の種類の取得日として記載された「平成０２年０６月０５日」を、自動車免許の取得日として読み取る。また、情報読取部５３は、免許種類の表４９から、取得済みの免許種類を読み取る。
【００３０】
そして、表示制御部５４は、情報読取部５３が読み取った情報を入力欄３０に表示する。入力欄３０に表示された情報は、内容の訂正、選択肢の選択状態が変更可能に設けられている。また、免許証種類については、旧法または改正法に応じた免許証の種類を選択可能な操作子群３１が設けられている。
【００３１】
即ち、図６に例示されるように、旧免許証用の免許証画面６１には、自動車免許の種類として、１：普通、２：大型、３：中型、４：中型（８ｔ）、５：無効、の５つの操作アイコンが設けられている。即ち、旧免許証用の免許証画面６１は、旧法に準じた運転免許の種類を選択可能に表示する操作子群３１を表示している。
【００３２】
操作アイコンは、情報読取部５３がＯＣＲ認識により読み取った免許の種類に応じて、選択された状態で表示される。例えば、表示制御部５４は、免許証の画像４０から自動車免許の種類が「中型」であると識別すると、当該種類に対応する「３：中型」の操作アイコンを、選択された状態（例えば、アイコンが押下された状態を模した表示）で表示する。一方、図６に示すように、情報読取部５３が免許証の画像４０から、「中型車は中型車（８ｔ）に限る」という文字列を識別すると、表示制御部５４は操作子群３１において「４：中型（８ｔ）」の操作アイコンを、選択された状態で表示する。
【００３３】
また、図６に示すように、免許証画面６１には、当該画面に入力された情報、あるいは、選択されている情報を確定するための確定キー６３が設けられている。また、免許証画面６１には、スキャナ１６を稼働させて免許証を読み込むための免許証読込キー６４が設けられている。また、免許証画面６１には、上述の車種選択画面（不図示）を表示させて車種の変更を受付けるための車種変更キー６５が設けられている。
【００３４】
図７は、新免許証を読み込んだ場合に表示される免許証画面６２の一例を示した図である。図６で説明した構成と同様の構成については、図６と同一の符号を付し、その説明を省略する。図７中の免許証の画像４０が示すように、新免許証では免許種類の表５９は、改正法に基づくレイアウト（図５参照）に対応することとなる。
【００３５】
そして、図７に例示されるように、新免許証用の免許証画面６２には、自動車免許の種類として、１：普通、２：大型、３：中型、４：中型（８ｔ）、５：準中型、６：準中（５ｔ）、７：無効、の７つの操作アイコンが設けられている。即ち、新免許証用の免許証画面６２は、改正法に準じた運転免許の種類を選択可能に表示する操作子群３２を備えている。
【００３６】
尚、入力受付部５１（操作受付手段）は、免許証画面６１（図６参照）、免許証画面６２（図７参照）のそれぞれにおいて、各画面に表示された情報に対する訂正操作を受付ける。一例として、入力受付部５１は、免許証の種類の各操作アイコンについて、選択、または、選択解除の状態を切替える操作を受付ける。これにより、ＯＣＲ認識が適切に行えなかった場合にも、店員の手入力により免許証の種類等の情報を適宜訂正することが可能である。
【００３７】
このように、本実施形態によれば、自動車運転免許の交付日に応じて、免許証画面６１、６２を自動的に切り替えて表示する。つまり、交付日が改正法の施行日の前後いずれであるかに応じて、自動車免許の種類を選択する操作子群３１、３２を切替えて画面上に表示する。即ち、本実施形態では、旧法および改正法に含まれる免許の種類をすべて羅列するのではなく、旧免許証ならば旧免許証用の操作アイコンのみを設け、新免許証ならば新免許証用の操作アイコンを設けるとした。このように免許交付日に応じて操作子群３１、３２を切替えるようにしたことで、必要事項に絞って画面をシンプルに構成することができ、店員が確認や訂正を行う際の効率化を図った。
【００３８】
図２に戻って、登録部５５は、確定キー６３（図６、図７参照）が選択操作されると、免許証画面６１、６２に入力された情報と、上述の車種選択画面（不図示）から選択された車種等の情報とに、貸渡業務を管理する取引番号を付番して、貸渡管理ファイル２０２に登録する。尚、取引を識別する識別子は、その他の識別子を用いてもよい。例えば、予約を介して車両の貸渡しを行う場合には、予約時に割り当てた予約番号を用いてもよい。
【００３９】
また、登録部５５は、レンタカーの運転者が、貸し渡す対象として選択されている車種を運転できる免許を保有しているか否かを判定する。即ち、登録部５５は、上述の車種選択画面で選択された貸渡し対象の車種と、免許証画面６１、６２において操作アイコンが選択された自動車免許の種類とを比較する。そして、登録部５５は、免許証画面６１、６２で選択されている運転免許の種類が、貸渡す車種に対応付けられた運転免許の種類を含む上位の種類でない場合に、客が当該車種を運転する資格を保有していないとしてエラー判定とする。
【００４０】
表示制御部５４（エラー出力手段）は、上述のように登録部５５がエラー判定を出力した場合に、ディスプレイ１７にアラート画面７１、７２（図８、図９参照）を表示する。
【００４１】
図８は、アラート画面の一例を示した図である。例えば、免許証画面６１、６２（図６、図７）を表示するタイミングで登録部５５がエラー判定を出力すると、表示制御部５４は、図８に示すようなアラート画面７１をディスプレイ１７に表示する。アラート画面７１には例えば、貸し出す車両と、免許証画像から読み込まれた免許証の種類とに齟齬が生じているため、免許証からの読み取りが的確に行われたか店員に確認を求める警告メッセージ等が表示される。
【００４２】
図９は、アラート画面のその他の例を示した図である。また別のタイミングとして、免許証画面６１、６２において確定キー６３（図６、図７参照）が操作されたタイミングで登録部５５がエラー判定を出力すると、表示制御部５４は、図９に示すようなアラート画面７２をディスプレイ１７に表示する。アラート画面７２には例えば、貸し出す車両と、免許証画面にて入力された免許証の種類とに齟齬が生じているため、貸し出しができない旨の警告メッセージ等が表示される。
【００４３】
印字制御部５６は、車種選択画面（不図示）、免許証画面６１、６２等で入力が確定された情報を自動車貸渡証に印字出力する。また、印字制御部５６は、会計処理にかかる情報をレシートおよびジャーナルに印字出力する。
【００４４】
尚、印字制御部５６は、旧免許証または新免許証のいずれの免許証であるかを示す文字列や、当該免許証で運転可能な車種、車両クラス、車両重量などの情報を、上記印字媒体に印字してもよい。また、レシートや貸渡証に、改正法に関する情報や、改正法により運転可能な車種が変更になったことを注意喚起するメッセージ等を印字してもよい。
【００４５】
次に、ＰＯＳ端末１が実行するレンタカー貸渡処理の手順例について説明する。図１０は、ＰＯＳ端末１が実行するレンタカー貸渡処理の手順例を示したフローチャートである。
【００４６】
ＰＯＳ端末１において、入力受付部５１は、レンタカーの車両クラス、車種等を選択する車種選択画面（不図示）から、客に貸し渡す車両の車両クラスおよび車種の入力を受付ける（ステップＳ１）。登録部５５は、ステップＳ１の入力に応じて、車両マスタ２０１から貸渡し対象の車両に関する情報を制御部１１のワークメモリ上に読み込む（ステップＳ２）。
【００４７】
次に、ワークメモリ上に免許証画像がすでに取り込まれている場合には（ステップＳ３：Ｙｅｓ）ステップＳ１３に移行する。ワークメモリ上に免許証画像が取り込まれていない場合（ステップＳ３：Ｎｏ）には、画像取込部５２は、スキャナ１６にスキャン開始の信号を出力して、免許証の画像の取り込みを開始する（ステップＳ４）。情報読取部５３は、ワークメモリに取り込まれた免許証の画像から、氏名、生年月日、住所、運転免許の交付日、有効期限、免許の条件等に関する記載、免許証番号、種類別の免許取得日などの情報を読み取る（ステップＳ５）。
【００４８】
ステップＳ５で読み取った自動車免許の交付日が法改正の施行日より前であり、読み取られた画像が旧免許証の画像であれば（ステップＳ６：Ｙｅｓ）、ステップＳ７に移行する。一方、ステップＳ５で読み取った交付日が法改正の施行日以降であり、読み取られた画像が新免許証の画像であれば（ステップＳ６：Ｎｏ）、ステップＳ１０に移行する。
【００４９】
ステップＳ６：Ｙｅｓであれば、情報読取部５３は、旧免許証における免許種類の表のレイアウト（図４参照）を参照して（ステップＳ７）、自動車免許の種類を読み取る（ステップＳ８）。そして、表示制御部５４は、旧免許用の免許証画面６１（図６参照）をディスプレイ１７に表示する（ステップＳ９）。
【００５０】
ステップＳ６：Ｎｏであれば、情報読取部５３は、新免許証における運転免許の種類を示した表のレイアウト（図５参照）を参照して（ステップＳ１０）、自動車免許の種類を読み取る（ステップＳ１１）。そして、表示制御部５４は、新免許証用の免許証画面６２（図７参照）をディスプレイ１７に表示する（ステップＳ１２）。
【００５１】
ステップＳ９またはステップＳ１２において免許証画面６１、６２を表示するタイミングで、登録部５５は、貸渡し対象の車種が取得済みの免許種類で許可される車種であるか否かを判定する（ステップＳ１３）。貸渡し対象の車種が、免許証画面６１、６２で選択された免許種類で運転可能であり、貸渡し可能であれば（ステップＳ１３：Ｙｅｓ）、ステップＳ１５に移行する。貸渡し対象の車種が、免許証画面６１、６２で選択された免許種類で運転不可能であり、貸渡し不適格であれば（ステップＳ１３：Ｎｏ）、表示制御部５４は、アラート画面７１（図８参照）をディスプレイ１７に表示する（ステップＳ１４）。アラート画面７１にてＯＫキー７３が操作されると、表示制御部５４はアラート画面７１の表示を終了して、ステップＳ１５に移行する。
【００５２】
ステップＳ１５にて、入力受付部５１は、免許証画面６１、６２の各入力事項に対する訂正操作を受付ける。また、入力受付部５１が免許証画面６１、６２において、車種変更キー６５（図６、図７参照）の操作を受付けると（ステップＳ１６：Ｙｅｓ）、ステップＳ１に戻る。表示制御部５４は車種選択画面（不図示）を表示し、入力受付部５１は新たな車種の選択を受付けて（ステップＳ１）、以降は上述と同様の処理を続ける。
【００５３】
一方、車種変更キー６５の操作を受付けなければ（ステップＳ１６：Ｎｏ）、入力受付部５１は、免許証画面６１、６２において確定キー６３が操作されたか否かを判定する（ステップＳ１７）。確定キー６３が操作されなければ（ステップＳ１７：Ｎｏ）、ステップＳ１５に戻る。確定キー６３が操作されると（ステップＳ１７：Ｙｅｓ）、登録部５５は、貸渡し対象の車種が免許証画面６１、６２で選択された免許種類で許可される車種であるか否かを再度判定する（ステップＳ１８）。貸渡し可能であれば（ステップＳ１８：Ｙｅｓ）、会計処理に移行する（ステップＳ２０）。そして、会計処理が終了すると、印字制御部５６は、貸渡証およびレシートを印字出力し、一取引分の貸渡処理を終了する（ステップＳ２１）。
【００５４】
貸渡し不可能であれば（ステップＳ１８：Ｎｏ）、表示制御部５４は、アラート画面７２（図９参照）をディスプレイ１７に表示する（ステップＳ１９）。アラート画面７２にてＯＫキー７３が操作されると、表示制御部５４はアラート画面７２の表示を終了して、ステップＳ１５に移行する。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５６】
尚、上述の実施形態では、情報読取部５３が読み取った免許種類が、下位の免許種類を包含する上位の種類であれば、当該上位の免許種類が包含する下位の免許種類に該当する車種の運転は可能であると判定する。そして、免許種類の表示については、図６、図７で例示したように、上位を取得している際には下位を選択せず、免許証の表記に一対一で対応させるとした。これにより、免許証と照合して画面に入力された情報を確認する際に、機械的に確認をすることができ、店員への負担軽減を図っている。
【００５７】
しかしながら免許証画面６１、６２における免許種類の表示方法は免許証の表記と一対一にしなくてもよい。例えば、表示制御部５４は、情報読取部５３が読み取った運転免許の種類が、下位の種類を包含する上位の種類であれば、情報読取部５３が読み取った上位の種類の操作アイコンとともに、当該上位の種類が包含する下位の種類の操作アイコンを、選択操作された状態で表示してもよい。
【００５８】
具体例を挙げると、改正法において中型免許の取得者であれば、中型（車両総重量７．５ｔ以上１１ｔ未満）と、準中型（車両総重量３．５ｔ以上７．５ｔ未満）と、普通（３．５ｔ未満）との３種類について運転可能である。つまり、上述した運転免許の種類の表において、「中型」の文字列が表記され、その他の準中型、普通がハイフン（−）で表記されていたとしても、準中型、普通の車種について運転可能となる。言い換えれば、上位の種類である中型が、準中型と普通との２種の下位の種類を含んでいることとなる。このような場合に、表示制御部５４は、中型、準中型、普通のすべての操作アイコンを選択された状態にして表示してもよい。
【００５９】
以上説明した通り、上記実施形態によれば、新旧２種類の免許証に対して、記載事項の入力を適切に行い易くすることができる情報処理装置およびプログラムを提供することができる。
【符号の説明】
【００６０】
１  ＰＯＳ端末
３１、３２  操作子群
５１  入力受付部
５２  画像取込部
５３  情報読取部
５４  表示制御部
５５  登録部
６１、６２  免許証画面
７１、７２  アラート画面
【先行技術文献】
【特許文献】
【００６１】
【特許文献１】特開平１０−１２４５７９号公報
【図１】
2018163429.tif 000003
【図２】
2018163429.tif 000004
【図３】
2018163429.tif 000005
【図４】
2018163429.tif 000006
【図５】
2018163429.tif 000007
【図６】
2018163429.tif 000008
【図７】
2018163429.tif 000009
【図８】
2018163429.tif 000010
【図９】
2018163429.tif 000011
【図１０】
2018163429.tif 000012